(57)【特許請求の範囲】
【請求項１】
垂直風洞スカイダイビングシミュレータであって、
一般に方形構造を有する循環気流プレナム（２−１０）と、
前記一般に方形構造を有する循環気流プレナムの第１の垂直戻りダクト（１０、１５０３、１７０１、２２０２）内で、空気柱に収容される少なくとも１人の人間を浮かせることができる垂直飛行チャンバ（１０、１５０３、１７０１、２２０２）と、
一つ又は二つの一般に方形構造を有する戻りダクトであって、上端戻りダクト（３０）と、第２の垂直戻りダクト（５）と、下端戻りダクト（７）とを有する前記戻りダクトであって、該戻りダクトの少なくとも一部分は、その長さの少なくとも一部に拡大壁部を備える、前記戻りダクトと、
前記戻りダクト内の少なくとも一つのファンアセンブリ（３）であって、前記上端戻りダクト（３０）または前記第２の垂直戻りダクト（５）内で横に並んで配置された複数のファン（４０、４１）からなるファンアセンブリ（３）を有し、
前記垂直飛行チャンバ（１０、１５０３、１７０１、２２０２）は、少なくとも一つの前記ファンアセンブリ（３）の吸入口側に配置され、
前記垂直飛行チャンバ（１０、１５０３、１７０１、２２０２）の少なくとも一部は拡大壁（２０、２１、２２）を有することにより、該垂直飛行チャンバ（１０、１５０３、１７０１、２２０２）の横断面積がその底部から頂部へ向かう方向に徐々に拡大し、もって、気流の速度を低下させるように機能し、
前記戻りダクトから続く気流収縮器（９）であって、前記垂直飛行チャンバ（１０、１５０３、１７０１、２２０２）の直上流に設置される気流収縮器（９）を更に有し、
前記上端戻りダクト（３０）の最上部は、前記下端戻りダクト（７）の最下部より１５．２４〜３６ｍだけ上方であり、
前記上端戻りダクト（３０）および前記第２の垂直戻りダクト（５）の少なくとも一方は、略方形の断面を有する、
垂直風洞スカイダイビングシミュレータ。
【請求項２】
請求項１に記載のシミュレータにおいて、前記垂直飛行チャンバ（１０、１５０３、１７０１、２２０２）は層流気流を維持するように構成される、シミュレータ。
【請求項３】
請求項１又は２に記載のシミュレータにおいて、
前記上端戻りダクト（３０）の寸法は、垂直方向の方が水平方向よりも短く、
前記下端戻りダクト（７）の寸法は、垂直方向の方が水平方向よりも短い、シミュレータ。
【請求項４】
請求項１〜３のいずれか一項に記載のシミュレータにおいて、前記空気柱は、前記垂直飛行チャンバの一つの壁から他方の壁まで完全に層流気流として広がっている、シミュレータ。
【請求項５】
請求項１〜４のいずれか一項に記載のシミュレータにおいて、前記第１の垂直戻りダクトは方形構造の第１の垂直戻りダクトであり、又前記第２の垂直戻りダクトは方形構造の第２の垂直戻りダクトであり、
前記方形構造は更に上端戻りダクトと、下端水平戻りダクトとを有する、シミュレータ。
【請求項６】
請求項１〜５のいずれか一項に記載のシミュレータにおいて、該シミュレータは二つの戻りダクトを有し、各該戻りダクトは、上端戻りダクト（３０）と、第２の垂直戻りダクト（５）と、下端戻りダクト（７）とを有し、
前記循環気流プレナム（２−１０）の第１の垂直部材は、前記方形構造の中央垂直部材である、シミュレータ。
【請求項７】
請求項１〜６のいずれか一項に記載のシミュレータにおいて、前記各戻りダクト（３０、５）は気流方向に沿って設けられた複数段の前記ファンアセンブリ（３）を収容する、シミュレータ。
【請求項８】
請求項１〜７のいずれか一項に記載のシミュレータにおいて、前記循環気流プレナムの前記方形構造の前記上端戻りダクト（３０）と、前記第２の垂直戻りダクト（５）の各々は、拡大壁セグメントを有し、該拡大壁セグメントにより、層流気流を維持しながら、循環気流の流れを拡大する、シミュレータ。
【請求項９】
請求項１〜８のいずれか一項に記載のシミュレータにおいて、前記ファンアセンブリ（３）の各ファン（４０、４１）は、拡散器として機能するファンケーシング（１３００）内に配置され、ノーズコーン、ファンの中央体及びテールコーンにより覆い隠されたファンの中心領域を考慮に入れた後に、ファンを通る正味の気流領域が気流の分離を生じることなく可能な限り増加する、シミュレータ。
【請求項１０】
請求項１〜９のいずれか一項に記載のシミュレータにおいて、前記循環気流プレナムの下端戻りダクト（７）が拡大壁セグメントを有する、シミュレータ。
【請求項１１】
垂直風洞スカイダイビングシミュレータにおいて、
一般に方形構造を有する循環気流プレナム（２−１０）と、
前記一般に方形構造を有する循環気流プレナム（２−１０）の第１の垂直戻りダクト（１０、１５０３、１７０１、２２０２）内で、空気柱に収容された少なくとも１人の人間を浮かせることができる垂直飛行チャンバ（１０、１５０３、１７０１、２２０２）と、
一つ又は二つの一般に方形構造を有する戻りダクトであって、該各戻りダクトは、上端戻りダクト（３０）と、第２の垂直戻りダクト（５）と、下端戻りダクト（７）とを有し、前記複数の戻りダクトは、層流を維持しながら空気流を緩やかにする機能を有する拡大壁部（１０；２０、２１、２２）を有し、
該戻りダクトは、前記垂直飛行チャンバ（１０、１５０３、１７０１、２２０２）の直上流に配置された吸入口収縮器（９）に続き、
前記上端戻りダクト（３０）または前記第２の垂直戻りダクト（５）内で、横に並んで配置された複数のファン（４０、４１）を有する少なくとも一つのファンアセンブリ（３）を更に有し、
前記垂直飛行チャンバ（１０、１５０３、１７０１、２２０２）は、前記少なくとも一つのファンアセンブリ（３）の吸入口側に配置されており、前記少なくとも一つのファンアセンブリ（３）の各々は、前記拡大壁部を有する前記複数の戻りダクト（３０、５、７）に接続され、
前記垂直飛行チャンバ（１０、１５０３、１７０１、２２０２）の少なくとも一部は拡大壁（２０、２１、２２）を有することにより、該垂直飛行チャンバ（１０、１５０３、１７０１、２２０２）の横断面積がその底部から頂部へ向かう方向に徐々に拡大し、もって、気流の速度を低下させるように機能し、
前記上端戻りダクト（３０）および前記第２の垂直戻りダクト（５）の少なくとも一方は、略方形の断面を有する、
垂直風洞スカイダイビングシミュレータ。
【請求項１２】
請求項１１に記載のシミュレータにおいて、
前記上端戻りダクト（３０）の寸法は、垂直方向の方が水平方向よりも短く、
前記下端戻りダクト（７）の寸法は、垂直方向の方が水平方向よりも短い、シミュレータ。
【請求項１３】
請求項１１又は１２に記載のシミュレータにおいて、前記空気柱は、前記垂直飛行チャンバの一つの壁から他方の壁まで完全に層流気流として広がっている、シミュレータ。
【請求項１４】
請求項１１〜１３のいずれか一項に記載のシミュレータにおいて、該シミュレータは一つの戻りダクトを有し、該戻りダクトは、上端戻りダクト（３０）と、第２の垂直戻りダクト（５）と、底部材戻りダクト（７）とを有し、前記第１の垂直戻りダクトは方形構造の第１の垂直戻りダクトであり、又前記第２の垂直戻りダクトは方形構造の第２の垂直戻りダクトであり、
前記方形構造は更に上端戻りダクトと、下端水平戻りダクトとを有する、シミュレータ。
【請求項１５】
請求項１１〜１３のいずれか一項に記載のシミュレータにおいて、該シミュレータは二つの戻りダクトを有し、各該戻りダクトは、上端戻りダクト（３０）と、第２の垂直戻りダクト（５）と、下端戻りダクト（７）とを有し、
前記方形構造は、前記二つのダクトの、上端戻りダクト（３０）と、第２の垂直戻りダクトと、下端戻りダクト（７）とを有し、
前記循環気流プレナム（２−１０）の第１の垂直部材は、前記方形構造の中央垂直部材である、シミュレータ。
【請求項１６】
請求項１１〜１５のいずれか一項に記載のシミュレータにおいて、前記循環気流プレナムの各上端戻りダクト（３０）、前記第１の垂直戻りダクト（１０、１５０３、１７０１、２２０２）、及び第２の垂直戻りダクト（５）は拡大壁セグメントを有することにより、層流気流を維持しながら、循環気流の流れを拡大する、シミュレータ。
【請求項１７】
請求項１１〜１６のいずれか一項に記載のシミュレータにおいて、前記各戻りダクト（３０、５）は気流方向に沿って設けられた複数段の前記ファンアセンブリ（３）を収容する、シミュレータ。
【請求項１８】
請求項１１〜１７のいずれか一項に記載のシミュレータにおいて、
前記循環気流プレナムの共通セグメント内で対向し合うように設けられた空気吸入口ルーバ（１２０）と空気吹出口ルーバ（２６０）とを有する温度調整器（１０００）をさらに備え、
前記空気吸入口ルーバ（１２０）と前記空気吹出口ルーバ（２６０）は互いに異なる傾斜を有することにより、前記循環気流プレナムの共通セグメント内の気流の下流側となるに従って互いに接近することで加速ノズルを形成し、それによって低静圧区域を形成して外気を前記空気吸入口ルーバ（１２０）へ引き込む、シミュレータ。
【請求項１９】
請求項１８に記載のシミュレータにおいて、前記空気吹出口ルーバ（２６０）は前記第２の垂直戻りダクト（５）内部で上流を向き、前記空気吸入口ルーバ（１２０）は前記第２の垂直戻りダクト（５）内部で下流を向き、それによって前記加速ノズルを形成する、シミュレータ。
【請求項２０】
請求項１〜１９のいずれか一項に記載のシミュレータにおいて、前記垂直飛行チャンバは機械的安全網および先端セグメント（２６０５）を有する底面をさらに備え、前記先端セグメント（２６０５）は人体センサ（２６００）を有し、前記人体センサ（２６００）は、前記先端セグメント（２６０５）付近を人間が飛行しているのが感知された場合に循環空気の気流を減速するコントローラ（２６０２）に接続する、シミュレータ。
【請求項２１】
請求項２０に記載のシミュレータにおいて、前記コントローラ（２６０２）は、少なくとも１つのファンを減速するように機能するファン制御手段をさらに備える、シミュレータ。
【請求項２２】
請求項２１に記載のシミュレータにおいて、前記ファン制御手段は、少なくとも１つのファンへの電流フローを一時的に削減するために、ファン電力制御モジュールをさらに備える、シミュレータ。
【請求項２３】
請求項１〜２２のいずれか一項に記載のシミュレータにおいて、前記垂直飛行チャンバ（１０、１５０３、１７０１、２２０２）は、マルチチャンバ手段を持つステージング領域（８００、８０２、８０４）をさらに備え、該マルチチャンバ手段は、前記垂直飛行チャンバを通る飛行気流に対して動作可能なように維持しながら、前記垂直飛行チャンバ（１０、１５０３、１７０１、２２０２）からの進入および脱出を可能にするよう機能する、シミュレータ。
【請求項２４】
請求項１〜２３のいずれか一項に記載のシミュレータにおいて、前記垂直飛行チャンバは、その下端に偏向器（１１００）を備える飛行者エントランス（１１０１、１１０２）を有する、シミュレータ。
【請求項２５】
垂直風洞スカイダイビングシミュレータであって、
方形構造を有する循環気流プレナム（２−１０）と、
前記循環気流プレナムの方形構造の第１の垂直戻りダクト（１０、１５０３、１７０１、２２０２）内で、空気柱に収容される少なくとも１人の人間を浮かせることができる垂直飛行チャンバ（１０、１５０３、１７０１、２２０２）と、
一つ又は二つの方形構造の戻りダクトであって、上端戻りダクト（３０）と、第２の垂直戻りダクト（５）と、下端戻りダクト（７）とを有する前記戻りダクトと、
戻りダクト内の少なくとも一つのファンアセンブリ（３）であって、単一の戻りダクト内で横に並んで配置された複数のファン（４０、４１）を有し、前記垂直飛行チャンバ（１０、１５０３、１７０１、２２０２）は、少なくとも一つの前記ファンアセンブリ（３）の吸入口側に配置されており、
前記垂直飛行チャンバは、その下端に偏向器（１１００）を備える飛行者エントランス（１１０１、１１０２）を有する、垂直風洞スカイダイビングシミュレータ。
【請求項２６】
請求項１〜２５のいずれか一項に記載のシミュレータにおいて、前記第１の垂直戻りダクト（１０、１５０３、１７０１、２２０２）と第２の垂直戻りダクト（５）を更に備え、該第１の垂直戻りダクト（１０、１５０３、１７０１、２２０２）及び第２の垂直戻りダクト（５）は、前記垂直飛行チャンバに接続しているそれらのプレナムでＶ形状を形成し、
すべての前記第２の垂直戻りダクトは、前記垂直飛行チャンバの片側における１８０度未満の円弧内にある、シミュレータ。
【請求項２７】
垂直風洞スカイダイビングシミュレータにおいて、
循環気流プレナム（２−１０）と、
垂直飛行チャンバ（１０、１５０３、１７０１、２２０２）において人間飛行用の気流を提供するためのファンアセンブリ（３）であって、前記垂直飛行チャンバ（１０、１５０３、１７０１、２２０２）は、前記ファンアセンブリ（３）の吸入口側に配置されている前記ファンアセンブリ（３）と、を備え、
前記少なくとも一つのファンアセンブリ（３）は、並んで配置された複数のファン（４０、４１）を備え、
前記循環気流プレナムの一部は前記気流を拡大および減速するために拡大壁（１３０２）をさらに備え、
前記循環気流プレナムは温度調整器（１０００）をさらに備え、
前記温度調整器（１０００）は前記循環気流プレナムの共通セグメント内において、空気吹出口ルーバ（２６０）とほぼ反対側に取り付けられた空気吸入口ルーバ（１２０）をさらに備え、前記空気吹出口ルーバ（２６０）は前記循環気流プレナムの前記共通セグメント内において内側および上流を向くドアを有し、前記空気吸入口ルーバ（１２０）は前記共通セグメント内において内側および下流を向くドアを有し、
前記複数のドアは前記循環気流プレナムの前記共通セグメント内の気流の下流側となるに従って互いに接近し、それによって空気を前記空気吸入口ルーバ（１２０）へ引き込む静圧低下区域（V）を形成する、
垂直風洞スカイダイビングシミュレータ。
【請求項２８】
請求項２７に記載のシミュレータにおいて、前記空気吹出口ルーバ（２６０）は前記第２の垂直戻りダクト（５）内部で上流を向き、前記空気吸入口ルーバ（１２０）は前記第２の垂直戻りダクト（５）内部で下流を向き、前記空気吸入口ルーバ（１２０）と前記空気吹出口ルーバ（２６０）は前記循環気流プレナムの共通セグメント内の気流の下流側となるに従って互いに接近し、それによって加速ノズルを形成する、シミュレータ。
【発明の詳細な説明】
【関連特許出願の相互参照】
【０００１】
本発明は、２００４年７月３０日提出の米国出願番号１０／９０９，０８８の一部継続である２００５年７月１９日提出の米国出願番号１１／１８４，９４０から優先権を主張する。
【技術分野】
【０００２】
本発明は、垂直風洞、特にスカイダイビングシミュレータおよび娯楽設備として使用される温度調節環気流垂直風洞の分野に関する。
【背景技術】
【０００３】
風洞は当該技術においてよく知られている。風洞はユーザの必要に応じて多くの種類および様式で使用できる。これらは、環気流を有するまたは有さない亜音速風洞、環気流を有するまたは有さない遷音速風洞、環気流を有するまたは有さない垂直亜音速風洞、環気流を有するまたは有さない超音速および極音速風洞、および圧縮性気流風洞を含む。
【０００４】
前記風洞の大部分は、研究および試験目的で使用される。従来の航空機、ヘリコプター、パラシュートおよび他の空力装置、翼面、操縦面、潜水艦、ロケットおよび他の打ち上げ機、地上車、建物および他の基本気流調査が含まれる。
【０００５】
水平風洞（ここではトンネルのフルスピードセクションにおける空気が一般に水平に流れる）は空力研究および試験に使用され、一般に防衛志向の主要企業、連邦政府、または教育機関および大学が所有している。これらの中には、垂直操作用に変換または適用されているものもあるが（ここではトンネルのフルスピードセクションにおける空気が一般に垂直に流れる）、それらの大部分またはすべてはそのような垂直操作では性能が劣る。
【０００６】
フリーフォールシミュレーションに使用される垂直風洞に適用する設計制限は、水平試験トンネルのそれとは異なる。垂直風洞／フリーフォールシミュレータにおいて、風洞のフルスピードセクションにある物体（この場合は飛行中の人間）がそのセクション内で動き回り、人体飛行を経験または練習できるということが重要である。水平試験トンネルにおいて、トンネルに配置された物体は通常、他者によって観察または測定される静的物体である。この理由から、水平風洞のこの最速部分は「試験セクション」と呼ばれる。垂直風洞において、これと同様の領域は「飛行室」と呼ばれる。
【０００７】
垂直風洞においては、トンネル内を飛行する人が気流を停止させることなく飛行室の内外で交代できることが重要である。反対に、水平風洞の操作中は、その試験セクション内の静的物体を動かす必要はほとんどない。さらに、垂直風洞内を飛行する物体は飛行室内を自由に動き回るため、その移動をシステムの適切な箇所に制約する必要がある。
【０００８】
前記飛行室の上方および下方の両端にセーフティネットを設置することができるが、それらによって膨大な抗力が生じ、騒音が発生して、特定の速度を獲得するために必要な電力が増大する。実際に、そのような１対のネットは、そのような風洞を操作するために必要な総電力の３０％〜５０％を消費する場合がある。
【０００９】
また、乗員が飛行していない場合、ケーブルを編んだグリッドを前記飛行室の底面または上方端に備え、スタンディングプラットフォームとして使用しても役立つ。この「ケーブルフロア」は、飛行室内の安全管理者またはインストラクターに対して便利な作業プラットフォームを提供する。
【００１０】
そのため、上記の安全および有用性の理由から、特定の強度および寸法に対して可能な限り空力の低いケーブルで作成されたケーブルフロア／セーフティネットを備えることが望ましい。風洞に加え、任意の数のアプリケーションが空気中またはケーブル上を流れる空気中で動くケーブルを採用しており、簡単で安価な抵抗力ケーブルが実質的な利点を提供できる。
【００１１】
平面または翼型断面を有する抵抗力ケーブルは当該技術において知られており、航空機産業において頻繁に使用されている。しかしそのようなケーブルは、気流に関して適切な方向に維持することが困難なため、垂直風洞の網状ケーブルフロアにおいて有効ではない。さらに、そのような平面または翼型ケーブルの下方端は尖っている。ケーブルフロア／セーフティネット上に落ちる人は下方端に着陸するため、このタイプのケーブルはこの種のアプリケーションにとって安全ではない。先行技術の翼型ケーブルは、同様の方向性、安定性、費用、または怪我の危険性の理由から、抵抗ケーブルが望まれる幾つかの他の種類のアプリケーションに使用することはできない。
【００１２】
空洞内の人が空柱の外を横方向に飛行すること、また支えられずに床下に落ちることを防ぐことも重要である。このため最新の垂直風洞は、空柱が飛行室の１つの壁から他の壁まで完全に広がるよう設計されている。これは水平風洞には必要ない。
【００１３】
フリーフォールシミュレーションに使用される垂直風洞は、しばしば遊園地およびショッピングモールといった騒音に敏感な環境で操作する必要がある。水平試験トンネルは密集地から離れて配置することができ、必要なだけ自由に騒音を出せる。
【００１４】
娯楽設備として、フリーフォールシミュレータは価格基準に関して他の娯楽と競合し、ほぼ連続的な操作が可能である。これら２つの要素から、フリーフォールシミュレータの商業運転を成功させるには、エネルギー効率が重要となる。水平試験トンネルの場合、数時間または数日かけて実験の準備を行った後、数分間だけトンネルを運転して必要なデータを収集するため、エネルギー効率はそれほど重要ではない。
【００１５】
直立で、しばしば高さ制限の厳しい密集した娯楽地に設置する必要があるフリーフォールシミュレータの主な制限は高さである。水平且つ任意の密集地から遠く離れて設置される水平試験トンネルの場合、これは当てはまらない。
【００１６】
最後に、これらのシステムの設計に焦点を当て、密集した娯楽地において公共の見物人に対する視覚性を最適化する先行技術は存在しない。
【００１７】
商業的に実行可能なスカイダイビングシミュレーション用垂直風洞を作成するには、（１）飛行室内の１人以上の人がフリーフォールをシミュレートするために十分な空気をスムーズに動かし、（２）多数の顧客が想定される場所に配置するため低く静かな装置を有し、また（３）公共に受け入れられる体験料にするため電力消費レベルを十分に低くする必要がある。
【発明の概要】
【発明が解決しようとする課題】
【００１８】
これらの競合要件を満たすという本発明の課題は、本装置によって解決される。１人以上の人間が浮くために飛行室では高い対気速度が必要である。しかし、配管を通して高速で空気を動かすと、相当量の音と熱が発生し、また膨大な電力を必要とする。そのため、最新の風洞は飛行室の空気を下方に拡大および減速して、電力消費、騒音出力、および熱の発生を抑えている。そうすることによって、電力消費を６０％以上削減することができ、それだけで垂直風洞を娯楽装置またはスカイダイビングシミュレータとして商業的に実行可能にすることができる。
【００１９】
しかし、風洞の任意のセクションにおける気流の拡大が速すぎると、気流が「分離」して、層流ではなく乱気流となる。これはシステム全体の性能を低下させ、電力消費を増加して、装置が実際のフリーフォールを適切にシミュレートしなくなる程気流の質が低下する。拡大ダクトにおいてこの気流の分離が生じる閾値は、文献に比較的詳しく定義されている。単純に言うと、そのような拡大コーンの壁は、互いから９〜１２度以上分岐することはできない。そのため、水平試験トンネルの長さまたは垂直風洞の高さが増加すると、効率が改善される傾向がある。
【００２０】
水平システムにおいてこれを行うことは容易だが、あいにく垂直システムでは建設費用および運転費用が劇的に増加し、政府の建設許可が得られる場所の数が著しく減少する。その結果、飛行室の下降気流を最大限に拡大、減速しながら高さを最小限にすることが、垂直風洞の商業的成功の鍵となる。同様に、抗力および電力消費を増加させることなく、風洞の安全エリアに人を収容することが重要である。
【００２１】
先行技術の風洞は、商業的に実行可能な運転を可能にするに足る効率を維持しながら、密集したショッピング施設および娯楽地に建設できるほど静かで高さの低い設計ではない。
【００２２】
前述の関連技術およびそれに関連する制限の例は、一例に過ぎず限定を意図するものではない。前記関連技術の他の制限は、明細書および図を参照することにより、当該技術に精通する者には明らかとなる。
【問題点を解決するための手段】
【００２３】
本発明の特徴は、複数の拡大環気ダクトに対して順に接続されている複数のファンの吸気側に配置される飛行室を持つ垂直風洞娯楽装置を提供することによって、娯楽装置の高さを可能な限り低くしながら最大限の効率を得ることである。
【００２４】
本発明の別の特徴は、ファンの吸気側に飛行室を持つ垂直風洞を提供することによって気流速度および質を改善し、低い電力消費で飛行者の安全を高めることである。
【００２５】
本発明の別の特徴は、高価で維持が困難な単一のファンではなく、非平行に配置された複数の小さいファンを持つ垂直風洞を提供することである。
【００２６】
本発明の別の特徴は、１つまたは複数の環気ダクトを備えて熱を保存し、エネルギー消費を削減し、騒音を抑えて全天候運転を可能にする垂直風洞を提供することである。
【００２７】
本発明の別の特徴は、環気ダクトより多い数のファンを備えてもよいが、環気ダクトを１つまたは２つのみ備える垂直風洞を提供することである。
【００２８】
本発明の別の特徴は、薄型拡散ケーシングに格納されたファンを持つ垂直風洞を提供することであり、それらのケースは、全体システムの高さまたは幅を増大する長い移行ダクトを必要とせず、１つ以上のファンが各環気ダクトに接続されるよう互いにできる限り近く載置することができる。
【００２９】
本発明の別の特徴は、ファンによって最小限の余剰労働で風洞内の温度を最も効率よく制御するために、加熱された空気を機械的にシステムから放出し、冷たい外気を取り込む調節可能な吸気／排気ドアを備える消極空気交換システムを持つ垂直風洞を提供することである。
【００３０】
本発明の別の特徴は、ファンによって最小限の余剰労働で、また他の費用のかかる空気冷却技術を使用することなく風洞内の温度を効率よく制御するために、調節可能な吸気／排気ドアが「ノズル」を形成するか、または収縮するように配置され、それによってトンネルの内部および外部に好ましい気圧傾度をもたらし、空気交換を促進する垂直風洞を提供することである。
【００３１】
本発明の別の特徴は、抗力の生成が少ないため従来のケーブルよりも騒音の少ない特別設計のケーブル（好ましくはスチール）で作成された網状の「フロア」を持つ垂直風洞を提供することである。
【００３２】
本発明の別の特徴は、飛行者が飛行室中で上昇しすぎることを防ぎ、空気速度を迅速に調節して飛行者を安全なレベルまで下げ、そこに維持するよう設計された物理ネットの代わりに、１つまたは複数のゼロ抗力電子上部バリアを供える垂直風洞を提供することである。
【００３３】
本発明の別の特徴は、建設費用を削減し、また建物の高さに関する一般的な政府基準を満たすため、特定の効率性に対して可能な限り全高の低い垂直風洞を提供することである。
【００３４】
本発明の別の特徴は、主要拡散器を飛行室の下方に備えるだけでなく、大部分またはすべての飛行室の下方部品が、気流を分離させずに可能な限り迅速に空気を拡大することによって高さが最適化された垂直風洞を提供することである。
【００３５】
本発明の別の特徴は、空気が飛行室を通過する際に、分離を生じることなく可能な限り拡大することによって高さが最適化された垂直風洞を提供することである。この拡散飛行室は、高さゼロの飛行室または長さゼロの試験セクションと見なすこともできる。
【００３６】
本発明の別の特徴は、高く飛ぶほど気流速度が下がる拡大拡散室内で人が飛行する高さゼロの飛行室を提供することである。これによって、室内にセルフ‐キャッチング気流が形成され、飛行者が下降するにつれて飛行速度が下がる。
【００３７】
本装置の特徴は、移動する空気中で抗力および騒音の低いケーブルを提供することである。
【００３８】
本発明の他の特徴は、以下の記述および付属の請求項、本明細書の一部を成す付随図面を参照することで明らかとなる。ここで、図面における同様の参照記号は複数の図面において対応する部分を示す。
【００３９】
室内の人間が空気柱から落ちて負傷する危険性を減らすために、前記空気柱は、飛行室の一方の壁から他方の壁まで完全に拡大する。この「壁から壁」の気流によってもまた、前記空気柱の端における抗力が低減し、システム全体の効率を改善する。気流は「ケーブルフロア」を通過して飛行室に入る。前記ケーブルフロアは、飛行室を通る気流がユーザを支えるのに十分でない場合にユーザをサポートする。ケーブルフロアは、特定の方向およびサイズの円形ストランドの一群からなる抵抗力ケーブルで作成されている。これらのケーブルは、空気中の抵抗力が利点となる任意のアプリケーションにおいて使用することもできる。
【００４０】
飛行室の上部（または下方）端またはその付近で、１つまたは複数の電子（好ましくは光学）センサーで構成される「バーチャルネット」が飛行室内の人間の位置を監視する。開示した実施例において、前記制御システムは飛行室内の人間が高く上昇しすぎた場合に速度を自動的に減少させる。
【００４１】
飛行室は、円形、楕円形、または多角形であってよく、７５平方フィートより若干小さい面積から１６０平方フィート以上の面積であってよい。飛行室には一度に６人のユーザを収容できる。飛行室内の気流速度は１６０＋ｍｐｈまで達し、最大６人のユーザを完全に支える。好ましい実施例において、飛行室の１つまたは複数の壁は、透明のプレキシグラス（ＰｌｅｘｉｇｌａｓO）、アクリル樹脂、硝子、または同様の高強度透明材料で構成された平面または湾曲した窓を含むまたは備える。飛行室に窓が存在することによって、その内部で行われている活動を無制限に見ることが可能となる。
【００４２】
飛行室にはステージングエリアが隣接している。飛行室にはステージングエリアへの入り口開口部および出口開口部があり、１人または複数のユーザがそこから飛行室に出入りできる。飛行室への人の出入りが頻繁でない特定の実施例では、これらの開口部を摺動、回転、またはその他の動きにおってそれら開口部の１つまたは両方を閉じるドアに取り付けてもよい。ユーザはステージングエリアで飛行室に入る順番を待つ。ステージングエリアには透明の窓があるため、ステージングエリアの外から飛行室内で飛行する任意の人間を観察することができる。ステージングエリアには単一または複数のドアがあり、定期的に開くことによってシステム全体の外に出ることができる。またステージングエリアを任意の「ピギーバック」または第二のステージングエリアに取り付けてもよい。これによってエアロックが生じ、気流を止める必要なくシステムの外からステージングエリアに人々を出入りさせることができる。
【００４３】
飛行室の上部セクションにある各ドアウェイの上記エリア（下方）は、ユーザが飛行室に出入りする場合に代替気流通路を提供する穴あきパネルを含んでよい。好ましい実施例において、飛行室とステージングエリアの間の各開口部の真下にあるケーブルフロアの下（上方）に小型の気流偏向器を配置して、その間を移動する空気量を最小限にし、必要な平衡量を削減する。
【００４４】
ファンおよび他のコントロールをステージングエリアの内部、飛行室の内部、または据付制御室あるいは遠隔制御室から操作することができる。前記ファンを制御して飛行室全体に最適な気流速度を獲得する。
【００４５】
次に、穴のあいたセクションの上には第一分岐分散器がある。当該第一分散器は、約３．５〜５度の角度で主軸から分岐し、７〜１０度の「等しいコーン角度」を提供する。断面領域が増加することによって、飛行室からファンへの気流速度が減少する。前記第一分散器の上（または下方）には、高効率回転翼の第一セットを含んでよい上部プレナムがある。単一循環システムにおいて、これらの回転翼（または翼が使用されていない場合は単なるプレナム）がほぼ垂直からほぼ水平に気流の方向を変える。複数の循環システムにおいて、これらの翼（または翼が使用されていない場合は単なるプレナム）が空気を基本的に等しい流れに分割し、各気流の方向をほぼ垂直からほぼ水平に変える。
【００４６】
次に気流は吸気ダクトを通過してファンに入る。ファン吸気ダクトはほぼ四角または長方形からほぼ円形に変形する。好ましい実施例において、前記ファン吸気ダクトは拡散器として機能し、気流の分離を生じることなく可能な限り気流エリアを拡大する。風洞で使用するために適用される任意のファンが許容されるが、高効率の軸気流ファンであることが好ましい。好ましい実施例において、前記ファンは弾丸型のノーズコーンおよび涙型のテールコーンを含む。好ましい実施例において、ファンのケーシングは拡散器として機能し、ノーズコーン、ファンの中央体、およびテールコーンによって覆い隠されるファンの中心領域を考慮して、ファンを通るネット気流領域が気流の分離を生じることなく可能な限り増加するようなサイズである。本発明を通る気流速度は、ファンのピッチまたは回転スピードのいずれかを変更することによって制御する。
【００４７】
気流はファンを通過して、ほぼ円形からほぼ四角または長方形に変形する出口に入る。好ましい実施例において、前記出口ダクトは、気流の分離を生じることなく可能な限り気流を拡大する拡散器として機能する。気流は出口ダクトのセットから、ほぼ水平からほぼ垂直に気流の方向を変える高効率の回転翼（使用されている場合）の第二セットへと通過する。
【００４８】
次に、気流は環気ダクトに入る。好ましい実施例において、これらの環気ダクトは気流の分離を生じることなく、可能な限り気流を拡大する分岐拡散器としても形成される。好ましい実施例において、各環気ダクトはその対向面に配置された奇数ルーバーで構成される空気交換機構を持つ。これらは、ルーバーの先端の気流領域においてノズルまたは突然の収縮を生じるような配置および寸法になっている。このノズルは、システムのその先端において［動的］静的圧力を［増加］減少させ、風洞から排気ルーバーを通じて過熱された空気の排除を助ける。これによってシステム内の圧力を下げ、システムの外から冷たい外気を取り込む際に吸気ルーバーを援助する。この配置によってシステムにおいて加熱された空気が冷たい外気と置き換えられ、それによってユーザは、冷暖房または気化冷却といった高価な代替手段を必要とすることなく、飛行室内を飛行者にとって心地よい温度に調節できる。
【００４９】
環気タワーの底面（または下方）の端において、空気が回転翼のセット（または翼が使用されていない場合は９０度回転する単なるダクト）を再度通過する。この回転翼のセットはほぼ垂直のパスからほぼ水平のパスへと空気の方向を変える。次に空気は、気流の分離を生じることなく可能な限り空気を拡大する分岐拡散器としても機能する下端プレナムに入る。底面プレナムの端または（下方）端において、空気が回転翼（または翼が使用されていない場合は９０度回転する単なるダクト）のセットを再度通過する。この回転翼のセットはほぼ水平からほぼ垂直パスへと空気の方向を変える。複数の回転システムにおいて、この時点で気流が再結合される。
【００５０】
次に空気が吸気収縮器を通過する。このトランペット型またはベル型装置は素早く気流領域を削減し、飛行室の手前の気流速度を加速する。ここでもまた空力の法則によって、気流の質を下げることなくどれだけ素早くこの気流領域を削減できるかが決まる。
【００５１】
本発明において開示された実施例を詳細に説明する前に、本発明は他の実施例が可能であり、記載の特定配列に対するアプリケーションに限定されないことを理解されたい。またここで使用する用語は、解説を目的とするものであって限定を意図しない。
【図面の簡単な説明】
【００５２】
【図１】図1は、単一循環シミュレータの上部斜視図である。
【図２】図２は、図１の実施例の切断図である。
【図３】図３は、図１の飛行室の上部斜視図である。
【図４】図４は、楕円形の排気収縮器、および長方形の吸気収縮器の平面図である。
【図５】図５は、気流収縮器の楕円形／多角形排気口の概略図である。
【図６】図６は、楕円形の排気流収縮器の概略図である。
【図７】図７は、楕円形の見物エリアの概略図である。
【図８】図８は、二重エアロックステージングエリアの上部概略図である。
【図９】図９は、温度調節器の概略図である。
【図１０】図１０は、図９の温度調節器の側面切断図である。
【図１１】図１１は、飛行室の入り口ドア上の偏向器の上部斜視図である。
【図１２】図１２は、偏向器の近接図である。
【図１３】図１３は、ファンおよびハウジングの側面切断図である。
【図１４】図１４は、中央線から離して載置された２つのファンおよびハウジングの側面切断図である。
【図１５】図１５は、２つの循環シミュレータの上部斜視図である。
【図１６】図１６は、図１５実施例の切断図である。
【図１７】図１７は、Ｖ字をなす２つの循環シミュレータの概略図である。
【図１８】図１８は、モールにおいてＶ字をなす２つの循環シミュレータの概略図である。
【図１９】図１９は、建物内の複数シミュレータ構成の概略図である。
【図２０】図２０は、シミュレータのモール型見物エリアの側面斜視図である。
【図２１】図２１は、二重収縮器（地下および水平）システムの概略図である。
【図２１Ａ】図２０Ａは、図２１の線２１Ａ‐２１Ａに沿った断面図である。
【図２２】図２２は、ケーブルフロアの上部斜視図である。
【図２３】図２３は、フロアセンサー／遮断システムの概略図である。
【図２４】図２４は、丸い拡散器の上部斜視図である。
【図２５】図２５は、水冷却シミュレータを備えるクルーズシップの概略図である。
【図２６】図２６は、第一実施例の反抗力ケーブルの側面斜視図である。
【図２７】図２７は、第二実施例のケーブルの図である。
【図２８】図２８は、第三実施例のケーブルの図である。
【図２９】図２９は、他の外部ストランドとはサイズの異なる単一外部ストランドを有するケーブルの断面外略図である。
【図３０】図３０は、別の実施例の抵抗力ケーブルの断面外略図である。
【図３１】図３１は、より大きい単一ワイヤを有する別の実施例の抵抗力ケーブルの断面外略図である。
【図３２】図３２は、より小さい２つのワイヤを有する別の実施例の抵抗力ケーブルの断面外略図である。
【図３３】図３３は、より大きいストランドを有するケーブルの斜視図である。
【図３４】図３４は、より小さい２つのストランドを有するケーブルの斜視図である。
【図３５】図３５は、複数の開示ケーブルの抗力低下を示すグラフである。
【発明を実施するための形態】
【００５３】
始めに図１を参照して、単一の循環シミュレータを示す。ここで高さＬ１は約５０〜１２０フィートの範囲であることが好ましい。幾つかの設備では、地表面レベル下Ｇ１またはＧ２にすべての構成要素を埋め込んでよい。飛行室１０は全体または部分的に透明パネルで作成してよい。地表面レベルがＧ２の場合、次に領域ｄ１に形成された不透明な台型イメージは約７フィートの高さにあってよい。モールにおけるこの実施例は、飛行室１０において人目を引く生の人間飛行スタジオを形成する。この設計は、飛行室１０内でのスカイダイビングのシミュレーションに対して対価を払う新規の「飛行者」を惹きつける。点線Ｒは屋根を示し、ここでＲ上の構成要素を屋根に載置して騒音を削減することができる。点線Ｗは壁を示し、ここで飛行室１０から離れた壁Ｗ上の構成要素を飛行室から隔離して飛行室１０付近の騒音を削減することができる。
【００５４】
大部分の先行技術飛行室は、体験飛行者が毎時約１４０マイルの一定風速で飛行演習できるように飛行室内に平行な壁を提供する。シミュレータ１は、エレベーション１１に沿って「高さゼロ」の飛行室を持つ。エレベーション１１は、気流収縮器９と気流拡散器１０を結ぶ線である。ここで、拡散器１０は拡大壁２０、２１、２２を有し、飛行室１０としても機能する。
【００５５】
通常、線１１における気流速度は、シミュレータ内で最速約１４０ｍｐｈである。飛行者が飛行室１０において上部の分岐点１１０まで高く上がると、気流速度が約１２０ｍｐｈまで低下する。飛行者は、最大限に広げたワシのポジションから最小のボールのようなポジションまでその抗力プロファイルを変えることができる。そのため、飛行者が飛行室１０の上部まで上昇して抗力をボール型に変えると、飛行者は下方に落ちる。拡散器形状の飛行室１０は、上昇する気流速度のため、自己抑制システムに飛行室１０への増分下降を提供する。セーフティネットは線１１を提供する。
【００５６】
分流器２は、分岐点１１０で拡散器１０と接触する。空気は分流器２において垂直パスから水平パスに分流する。分流器２、４、６、８はすべて空気の方向を約９０度変える。
【００５７】
ファンアセンブリ３は、隣り合う２つのファンを用いて空気を加速する。環気シミュレータにおける基礎力学は、エネルギー効率、騒音、およびサイズの妥協を伴う。最も単純な設計では、シミュレータを通してループ全体にフルスピードに近い気流を保つようにする。しかし、高さは増加せざるを得ず、騒音は増大し、またプレナムにおける摩擦による熱が上昇する。そのため、より効率良く運転するにはプレナムの断面領域を大きくして、商業的に許容可能な高さｈ１および騒音レベルを獲得し、同時にファンに対して可能な限り最小の馬力を使用することによって、空気がシミュレータループを通過する間に空気速度を落とす必要がある。
【００５８】
分流器２、４、６、８は一般に、建設費用の点から拡大壁を供えていない。ファンハウジングセグメント３００およびファンセクション３は拡大壁を備える。上端プレナム３０は拡大壁を備える。垂直循環プレナム５は拡大壁を備える。下端プレナム７は建設費用を考慮して拡大壁を備えていない。下端プレナム７は拡大壁を備えることができる。
【００５９】
気流収縮器９は断面プレナム領域を狭くする機能を持つ変換壁を備えることによって、飛行シミュレーション用に空気を約１４０ｍｐｈまで加速させる。吸気口１２は外気を取り込んでシミュレータ内の空気を冷却する。
【００６０】
次に図２を参照して、シミュレータ１の内部機能の概略を示す。気流を矢印Ｆで示す。偏向翼２００、２０１、２０２、２０３はそれぞれ気流の方向を９０度変更する。それぞれのハウジング３において隣り合って水平に載置された２つのファン４０、４１が概略的に示されている（斜視図については図１３を参照）。ここでファンのすぐ後ろのプレナム拡散器３００が気流を拡大および減速する。拡散は上端プレナム３０、次に垂直循環プレナム５、最後に飛行室１０において継続する。
【００６１】
消極温度調節システムは、下方に面する吸気口１２ルーバー１２０を備えることによって提供される。さらに、排気口２６は上方に面するルーバー２６０を備える。排気口２６のほぼ反対に吸気口１２を載置することで、ルーバー１２０、２６０により還元ノズルが形成され、それによって吸気口１２の下方から低静圧ゾーンＶが形成される。そのため、外気が追加ファンを使用することなくシミュレータ１に取り込まれる（消極的に導入される）。
【００６２】
次に図３を参照すると、ベースＢで示されるように拡散器／飛行室１０は多角（八角）形である。ベースＢはセーフティネットで覆われている。壁２０、２１、２２等は約７〜１２度の範囲の最適空力角度でそれぞれから分岐する。飛行室１０の上部は矢印１１０で示されるように長方形に見える。壁２０、２１、２２、のすべてまたは一部は透明であってよい。
【００６３】
次に図４を参照すると、気流収縮器４００は好ましい設計として長方形の吸気口４０１および円形の排気口４０２を備える。遷移壁４０３は吸気口４０１から排気口４０２への気流を収縮する。好ましくは図２の高さｈ２であり、等しい長さｄ４だけ地下に埋め込まれる場合もある。形状と寸法のこの組み合わせによって、比較的高さが低く、商業的に実行可能なシミュレータ１の費用効率の良いバランスが形成される。
【００６４】
次に図５、６、７を参照して、「円形排気口」気流収縮器という用語は、多角楕円形の排気口５００および完全に楕円形の排気口６００など任意の楕円形のような形状を含む。楕円形のような形状によって、同一の断面領域を有する丸い排気口と比べてより大きな見物エリア７００が提供される。エリア７０１はステージングエリアおよびエントリエリアを含む。飛行室の底面Ｂ１は高価な小売スペースを有するモール内に配置することができ、より大きな見物エリア７００は相当の商業価値を有する。
【００６５】
次に図８を参照すると、２段階ステージング室８００は、窓８１０および飛行者エントランス８０６、８０７を持つ飛行室壁８０９を有する飛行室底面Ｂ２を備える。エントランス８０６、８０７はドアがなくてもよく、または開き戸またはスライドドアを備えてもよい。ドア８０１、８０５が閉まっている限り、飛行者が飛行室１０に出入りするためにファンを停止させる必要がない。外気はＡとして示される。ドア８０１、８０５が開くと外気Ａが第一ステージングルーム８０２および第二ステージングルーム８０４に入る。ドア８０３はステージングルーム８０２、８０４を分離する。運転時に飛行者の一団は、ドア８０３が閉まっている間に部屋８０４に入ることができ、次にドア８０５が閉められる。次に飛行者はドア８０１、８０５を閉じた状態で部屋８０２に入る。飛行者エントランス８０６、８０７を使用する。
【００６６】
次に図９、１０を参照すると、温度調節システム１０００は気流Ｆを持つプレナム５を備える。排気口２６は吸気口１２に対向するが、設計パラメータによって選択される距離ｄ１１において僅かに上方に配置される。好ましくは、ルーバー１２０、２６０は制御室から制御可能であり、外気Ａからプレナム５へと空気を入れ替える。吸気量Ｉは排気量Ｏに近似する必要がある。内部静圧Ｖの減少は、ノズルＮにおいて空気を収縮および加速することによって生じる。
【００６７】
ここで開示されている閉鎖循環式風洞に使用される空気交換システムは、トンネルの各循環区間における排気ルーバーおよび吸気ルーバーという２つの大きいルーバーを備える。当該排気および吸気ルーバーは、その間で好ましい相互作用が行われるように配置および方向付けされる。この配置はこのシステムの新規性の一部である。
【００６８】
排気ルーバーの先端は、トンネルに偏向してトンネル内から空気を出す。吸気ルーバーは、排気ルーバーとは反対のトンネル壁に配置される。そのヒンジ線は、デザイン設定において排気ルーバーの先端に沿うように設計される。吸気ルーバーの後縁はトンネルに偏向している。これは排気ルーバーより大きく偏向しており、ノズルＮを作成することによって内部気流速度が上昇する。これが重要である。速度の上昇によって、内部静圧（ベルヌーイの法則）が減少する。内部静圧（以下大気）が低下することによって、実際空気が吸気口に吸い込まれる。少なくとも吸気ルーバーは排気ルーバーと同じ翼弦または長さを有する。幾つかの風洞構成において、吸気ルーバーが排気ルーバーを越える長さまたは翼弦を持ち、必要な偏向を減らすことが望ましい。
【００６９】
従来の風洞空気交換器は、風洞の個別のセクションに排気口および吸気口を供えるか、または風洞の同一部分にある場合は２つのルーバー間に好ましい相互作用がないため、内部静圧が望ましく低下する。他の設計はスクリーンまたは幾つかの他の抗力生成装置を排気口の上方および吸気口の上方に採用して、内部静圧を低下させて外気がトンネルに入るようにする。これが行われている間は非常に効率が悪い。この結果、総合圧力が不要に失われ、それに付随してトンネルの性能も失われる。内部静圧を制御するため、追加ダクトが必要となることがあり、建築費用を増加させる。本発明はこれらの問題を回避し、最低限の電力損失で望ましい空気交換を達成する。
【００７０】
次に図１１、１２を参照して、飛行室から部屋８０２に入る気流を減らすために、偏向器１１００は飛行者エントランス１１０１、１１０２の下端に沿って配置され、それによって部屋８０２における空洞共振が最小限になる。偏向器１１００は尖った先端１１０３を持つ。先端１１０３は飛行室１０を下方に傾ける。飛行室１０は、表示のように多角形ではなく円形であってもよい。任意で偏向器１１９６はドアの上部に載置することができ、ここでドアは飛行室からステージングエリアの内側に折れる。
【００７１】
次に図１３、１４を参照して、図２のファン４０、４１の好ましい設計を示す。それらは表示の中央線から互いに僅かに離れて方向付けられている。ファン平面Ｐ４１、Ｐ４２は下方に向きが変わり、鋭角Ｐ４３を形成する。ファンカウリング（ファン缶）１３００は、ブレード１３０１の隣のセグメントの後ろに拡大壁１３０２を持つ。通常Ｗ１は２．６２メートル（１０３インチ）、Ｗ２は３．１０メートル（１２２インチ）であってよい。交互のファンは、ファン４１の前面１４９を点線１４９９に移動させることによって２つのファン缶１３００を近くに配置できる。これによって、ファンから２つの空気柱の間の距離を削減し、その結果循環プレナムの長さおよび高さが減少する。ブレード１３０１は前方に進めることができる。
【００７２】
次に図１５、１６を参照して、二重循環シミュレータ１５００を示す。単一循環シミュレータ１に対する機能等価構成要素には同様の番号を付与する。ここで、更なる記述は必要ない。
【００７３】
この特定の実施例において、飛行室１５０３は拡大壁ではなく平行壁を持ち、そこに比較的一定の気流を提供する。飛行室１５０３の上には、二重分流器１５０５に接続する拡散器１５０４がある。二重分流器１５０５は、２つの分岐翼１５０７、１５０８を持つ。ファンダクト１５２１はファン４０、４１を支える。上部拡散器１５２０は、表示のとおり分流器２、４に接続する。左および右の垂直循環プレナム５はそれぞれ温度調節システム１０００を備える。
【００７４】
底面プレナム７はそれぞれ二重分流器１５０１に接続する。二重分流器１５０１は２つの分岐翼１５０５、１５０６を持つ。気流収縮器１５０２は飛行室１５０３への気流を加速させる。より大きい飛行室１５０３は、図２に示す２つのファンの実施例と比較して示される４つのファンで支えることができる。
【００７５】
次に図１７を参照すると、二重循環シミュレータ１７００は、飛行者１７０４が入る飛行室１７０１を持つ。空気循環構成要素１７０２、１７０３はこの上部平面図で示されるように、飛行室１７０１から拡大するＶ構成（角度１７０５は鋭角）を形成する。このシミュレータ１７００は、図示のように公共の歩道ＰＷで使用され、見物エリアＶＡは歩道ＰＷに突き出ているが、構成要素１７０２、１７０３は防音され、壁Ｗに覆われている。上述のように、ファンおよび関連するダクトを屋根の上に載置してもよい。
【００７６】
次に図１８を参照すると、別のＶ字シミュレータ１８００は異なるモール環境に設定される。歩道ＰＷにはエリア１８０５に沿って高価な小売店スペースが並んでいる。比較的安価なモールスペース１８９９は格納エリアを持ってよく、循環気構成要素１８０１、１８０２を格納できる。外側の壁ＷＯＵＴは、図示のとおり循環気構成要素１８０３、１８０４の外側に位置する。
【００７７】
次に図１９を参照すると、壁ＷはＰＵＢＬＩＣと指定される包囲されたエリアを形成する。シミュレータ１および１５００の可能な構成を示す。飛行中の人間１７０４は、ＰＵＢＬＩＣと指定される楽しい室内娯楽エリアを形成できる。
【００７８】
次に図２０を参照して、図１のシミュレータ１に関するアーティストの演出を示す。ここでモール２０００は歩道ＰＷである。ここで「モール」という用語は、遊園地、劇場複合施設、家族用娯楽センター、および大学のキャンパスといった人が密集した娯楽地を含む。地表面レベルＧ２は公衆が透明な飛行室１０の中を見られるように台型エリアｄ１を形成する。券売エリア２００１は、他の小売店の店頭に溶け込む。壁Ｗおよび地表面Ｇ２スクリーン構成要素５、６、７、８を点線で示す。
【００７９】
次に図２１および２１Ａを参照して、二段階気流収縮器を示す。第一段階収縮器２１１１は水平であり分流器８に給気する。第二段階収縮器２１１２は垂直であり飛行室１０に給気する。シミュレータ２１１０は、第一段階収縮器２１１１が地下に埋め込まれていてもよい。結果として、第二段階収縮器２１１２の騒音が低下し高さも低くなる。本発明によって、シミュレータ２１１０の全体高を低くすることができる。
【００８０】
次に図２２を参照すると、ステージングエリア２２００はメッシュネット２２０１からなる底面Ｂを有する飛行室２２０２を備える。
【００８１】
飛行室の床を形成するメッシュネットの一実施例は、３／３２‐１７ストランドステンレス鋼航空機ケーブルを２’×２’（６０ｃｍ×６０ｃｍ）のグリッドに編んだものである。特定アプリケーションの条件に応じて、ケーブルの一端または両端が圧縮バネを通り抜ける。１２２のケーブルが図示のトンネルフロアを形成する。ケーブルの数は、飛行室２２０２の形状とサイズ、飛行室に指定されている飛行者の最大数および他の設計上の考慮事項によって異なる。
【００８２】
バネの圧縮は床に適度な「反発力」を付与するために調節され、飛行者が不安定になること、またケーブルフロアに落下することを避けるよう安全性を高める。
トンネル鑑賞壁
１１の大型１‐１／４”（３１ｍｍ）アクリルパネルがあり、ステージング／鑑賞エリアの制御者、飛行者および観客は実施例に記載の飛行室および飛行デッキにおける活動を鑑賞することができる。パネルの数は設備によって異なる。大型アクリルパネルが存在することによって、観客は制御室内を見ることができる。
【００８３】
次に図２３を参照すると、飛行室１０はエネルギー波２６０１（光、無線、音、紫外線等）を使用する飛行者センサー２６００を備え、飛行室１０内で高く飛びすぎている飛行者を検知する。コントローラ２６０２は、単純なオン／オフ出力ロジックまたは現行のモジュレータなどで構成され、一時的に気流を下げて飛行室内の飛行者の位置を下げる。緊急外気ドア２６０４は、コントローラ２６０２によって開けることもできる。メッシュネット２６０５を使用して、飛行者が高く上昇しすぎることを防ぐ場合もある。
【００８４】
次に図２４を参照すると、別の拡散器２７００は飛行室としても機能する。壁２７０１は３インチのアクリルパネルである。楕円形の排気口２７０２の端は湾曲している。
【００８５】
次に図２５を参照すると、シップ２８５０は海水冷却システム２８００を有するシミュレータ２８０１を備える。海水吸入口２８５１は気流コントローラ２８５２を介してシミュレータ内の熱交換器２８５３に給気する。空気温度センサー２８５４は、温度コントローラ２８０２と連通して、気流コントローラ２８５２を制御することにより空気温度を一定に保つ。
【００８６】
図２６、２７、２８はメッシュネットを形成できる個別のケーブル設計を提供する。基礎空力上、翼型プロファイルは平滑または平面プロファイルとは逆に抗力を下げる。ケーブル２３００は図２６に示す外部らせんラップ２３０２を有する標準ねじれ要素コア２３０１を備える。
【００８７】
ケーブル２４００は、図２７に示すように単一らせん要素２４０２を欠いた修正ねじれ要素コア２４０１を持つ。
【００８８】
ケーブル２５００は、図２８に示すように二重らせん要素２５０２を欠いた修正ねじれ要素コア２５０１を持つ。
【００８９】
次に図２９を参照すると、ケーブル２９００に関して記載の実施例は、１８のストランドを持つ。ストランド２９０１は、外部周辺ケーブルを形成し、直径ｄ１にほぼ等しい。Ｄ１は記載の実施例において約．４８２６ｍｍ（．０１９インチ）である。ストランドＬ１９は、外部周辺ケーブルを形成し、ｄ１とは異なる直径ｄ２を持つ。図２９に関して記載の実施例において、実線で示されたストランドＬ１９はより大きい直径約．７１１２ｍｍ（．０２８インチ）を持つ。点線で示されたストランドＬ１９ａは、ストランド２９０１より小さい直径を持つ。
【００９０】
Ｄ２はｄ１とは少なくとも１０％異なる必要があり、一般的にＤ２はｄ１とは２５％以上異なる。これらの実施例において、ｄ２はｄ１より大きく、ｄ２はｄ１の２．５倍の大きさであってよい。他のサイズ変化も同様である。ｄ２のほうが小さい場合、ｄ２の最小サイズは構造上の考慮事項によって決定される。ストランドＬ１９ａは、使用中に破損しないサイズであり、２つの隣接するストランド２９０１を少なくとも最小限離して保持する必要がある。ストランドの数はケーブルが使用されるアプリケーションによって異なる。原理では、６個以上のストランドを有するケーブルは、本開示に従って作成され、それに従って機能する。
【００９１】
内部ストランド２９０２、２９０３は、ストランド２９０１とは異なる直径を持ち、ケーブル２９００のコアを形成する。中央ストランド２９０３は、ストランド２９０２とは異なる直径を持つ。内部ストランド２９０２および２９０３の直径が直径ｄ２のＬ１９と関連していることとは無関係である。
【００９２】
Ｌ１９を有する２９００に関して記載の実施例において、Ｄ２／Ｄ１の比は約１．４７であり、ここで直径ｄ３は同一のストランドの直径ｄ４より約１０％大きい。ケーブル２９００は図９に示すらせん状の頂上部を形成するストランドＬ１９を有するねじれたストランドタイプである。
【００９３】
次に図３０を参照すると、ケーブル３０００は直径ｄ５を持つより大きい外周辺ストランド直線Ｌ３０を持つ。記載の実施例において、ｄ５は．８６３６ｍｍ（．３４”）である。Ｄ１は図５に示すとおりである。Ｄ５／Ｄ１の比は約１．７９であり、長さｄ６は記載の実施例において、周辺表面拡張Ｓから約．５０５５ｍｍ（．０１９９インチ）上である。
【００９４】
また図３０に示すように、ストランドＬ３０ａは点線で示され、Ｄ１の半分以下の直径ｄ５を有する。この実施例は、２つ以上のストランドＬ３０ａを使用して、ギャップＧを開放する。２つのストランドＬ３０ａを有するケーブル３００は、図３４のらせん状の溝を形成するギャップＧとともに斜視図に示されている。
【００９５】
図３２において、ケーブル３０１０の別の実施例が示される。外部ストランド３０１１、内部ストランド３０１２および３０１３は、ケーブル３０１０の主要構造を形成する。ストランドＬ３０１ａは３０１１の直径の半分以下の直径を持つ。図６に示すように、単一のギャップＧにある両ストランドＬ３０１ａの代わりに、ストランドＬ３０１ａがストランド３０１０のいずれか一方の側に配置され、２つのらせん状の溝を形成する。
【００９６】
次に図３３９を参照して、Ｌ１９のらせん頂上部を斜視で見る。
【００９７】
風洞の操作において、図２２（２００２）に示すケーブルフロア／セーフティネットを形成するケーブルに対して約９０度の角度で２０ＭＰＨ以上の空気が通過する。開示されているすべてのワイヤにおいて、気流の方向は装置の機能にとって重要ではない。ケーブル長の直接下を通る気流を除いて、ケーブル上のその他すべての方向の気流によって、少なくとも多少は抗力が低減されると考えられている。
【００９８】
図３１は１５のストランドを有するケーブル３３００を示す。ストランド３３０１はＬ３１を有する外部プレミアを形成する。ストランド３３０２および３３０３はケーブル３３００の内部コアを形成する。Ｌ３１はストランドＬ３１（図示せず）より小さい直径であってよい。
【００９９】
開示されたケーブルは、任意の風洞または再循環風洞においてのみならず、空気が通過する、または空気がケーブル上を通過する際に通常以下の抗力を受けるケーブルを採用することが望ましい他の環境で使用できる。
【０１００】
図３５は、動圧の関数として異なるケーブルの抗力係数を示すグラフである。すべての試験ケーブルにおいて、ケーブルにおける大部分のストランドは直径約０．０１９インチである。線３４０１は標準的なねじれワイヤケーブルを示す。ライン３４０３および３４０５は周囲が包まれたらせん状のストランド２３０２を有するケーブル２３００を示す。線３４０２は図３０に示すｄ５が．０３５インチのストランドを表す。ライン３４０４は図２９に示すｄ２が０．０２５インチのストランドを示す。
【０１０１】
開示されたケーブルは一般に、同一サイズの標準ケーブルより多く製造コストがかかることはない。そのため、抗力および騒音の削減およびこの抵抗力ケーブルを使用することに由来するエネルギー消費の節約が直接費用の節約につながる。
【０１０２】
本装置は記載の実施例を参照にして記述したが、多くの修正および変更を行うことが可能であり、その結果も本発明の範囲に含まれる。ここで開示される特定の実施例は制限を意図するものではなく、参照を目的とする。ここに記載する各装置の実施例は、多くの相当物を含む。
【図１】
0005864450.tif 000002
【図２】
0005864450.tif 000003
【図３】
0005864450.tif 000004
【図４】
0005864450.tif 000005
【図５】
0005864450.tif 000006
【図６】
0005864450.tif 000007
【図７】
0005864450.tif 000008
【図８】
0005864450.tif 000009
【図９】
0005864450.tif 000010
【図１０】
0005864450.tif 000011
【図１１】
0005864450.tif 000012
【図１２】
0005864450.tif 000013
【図１３】
0005864450.tif 000014
【図１４】
0005864450.tif 000015
【図１５】
0005864450.tif 000016
【図１６】
0005864450.tif 000017
【図１７】
0005864450.tif 000018
【図１８】
0005864450.tif 000019
【図１９】
0005864450.tif 000020
【図２０】
0005864450.tif 000021
【図２１】
0005864450.tif 000022
【図２１Ａ】
0005864450.tif 000023
【図２２】
0005864450.tif 000024
【図２３】
0005864450.tif 000025
【図２４】
0005864450.tif 000026
【図２５】
0005864450.tif 000027
【図２６】
0005864450.tif 000028
【図２７】
0005864450.tif 000029
【図２８】
0005864450.tif 000030
【図２９】
0005864450.tif 000031
【図３０】
0005864450.tif 000032
【図３１】
0005864450.tif 000033
【図３２】
0005864450.tif 000034
【図３３】
0005864450.tif 000035
【図３４】
0005864450.tif 000036
【図３５】
0005864450.tif 000037